(57)【要約】  概して、１又は複数の実施形態によると、ｅＮＢ（evolved  NodeB）の装置は、５Ｇマスタ情報ブロック（ｘＭＩＢ）の１又は複数のパラメータを構成する回路を有する。ｘＭＩＢは、以下のパラメータ：ダウンリンクシステム帯域幅、システムフレーム番号（ＳＦＮ）、又は他の物理チャネルの構成、又はそれらの組合せ、のうちの少なくとも１つを含む。ｅＮＢの装置は、所定リソース上で５Ｇ物理ブロードキャストチャネル（ｘＰＢＣＨ）によりｘＭＩＢを送信する回路を有する。ｘＰＢＣＨはｘＰＢＣＨを有する。ｘＰＢＣＨは、ＤＭ−ＲＳに基づく送信モードを使用して良く、ビーム形成されたｘＰＢＣＨは、中帯域及び高帯域のために使用されて良い。
2018531528.tif 000002
【特許請求の範囲】
【請求項１】
回路を有するｅＮＢ（evolved  NodeB）の装置であって、前記回路は、
ベースバンド処理回路により、第５世代（５Ｇ）マスタ情報ブロック（ｘＭＩＢ）の１又は複数のパラメータを構成し、前記ｘＭＩＢは、以下のパラメータ：ダウンリンクシステム帯域幅、システムフレーム番号（ＳＦＮ）、又は他の物理チャネルの構成、又はそれらの組合せ、のうちの少なくとも１つを含み、
無線周波数処理回路により、所定リソース上の５Ｇ物理ブロードキャストチャネル（ｘＰＢＣＨ）により前記ｘＭＩＢを送信する、
装置。
【請求項２】
他の物理チャネルの前記構成は、共通探索空間のための５Ｇ物理ダウンリンク制御チャネル（ｘＰＤＣＣＨ）構成を有する、請求項１に記載の装置。
【請求項３】
前記ｘＭＩＢに巡回冗長検査（ＣＲＣ）を適用するベースバンド処理回路を有する請求項１又は２に記載の装置。
【請求項４】
前記ＣＲＣは、１６ビット又は２４ビットを有し、前記ＣＲＣは、送信アンテナポート数に対応するコードワードによりマスクされる、請求項３に記載の装置。
【請求項５】
前記送信アンテナポート数に対応するコードワードによるＣＲＣマスクは、前記ｘＰＢＣＨ送信に利用されない、請求項４に記載の装置。
【請求項６】
前記ＣＲＣは、システムフレーム番号（ＳＦＮ）の最下位ビット（ＬＳＢ）によりマスクされる、請求項３又は４に記載の装置。
【請求項７】
前記ＣＲＣの加えられたｘＭＩＢにテールビット畳み込み符号（ＴＢＣＣ）を適用するベースバンド処理回路、を有する請求項３又は４に記載の装置。
【請求項８】
ｘＰＢＣＨ送信のために利用可能なリソース要素（ＲＥ）を埋めるためにレートマッチングを実行するベースバンド処理回路、を有する請求項１乃至７のいずれか一項に記載の装置。
【請求項９】
符号化ビットにスクランブリングを実行するベースバンド処理回路、を有する請求項１乃至８のいずれか一項に記載の装置。
【請求項１０】
スクランブリングシーケンスは、物理セル識別子（ＩＤ）により初期化される、請求項９に記載の装置。
【請求項１１】
シーケンスを初期化するベースバンド処理回路は、所定値、又はクラスタ若しくはサブクラスタ識別子（ＩＤ）により初期化され、複数のｅＮＢが、同一時間リソース及び同一周波数リソースで同時に前記ｘＰＢＣＨを送信する、請求項９又は１０に記載の装置。
【請求項１２】
４位相偏移変調（ＱＰＳＫ）により前記ｘＰＢＣＨを変調するベースバンド処理回路、を有する請求項１乃至１１のいずれか一項に記載の装置。
【請求項１３】
コンピュータプログラムであって、ｅＮＢ（evolved  NodeB）に、
第５世代（５Ｇ）物理ブロードキャストチャネル送信（ｘＰＢＣＨ）の５Ｇマスタ情報ブロック（ｘＭＩＢ）の１又は複数のパラメータを構成させ、
前記ｘＰＢＣＨ送信について復調参照信号（ＤＭ−ＲＳ）に基づく送信を適用させ、ＤＭ−ＲＳ及び前記ｘＰＢＣＨに割り当てられたデータシンボルの両方に同じビーム形成重みが適用され、
所定リソース上の前記ｘＰＢＣＨにより前記ｘＭＩＢを送信させる、
コンピュータプログラム。
【請求項１４】
単一レイヤ送信が前記ｘＰＢＣＨ送信に適用される、請求項１３に記載のコンピュータプログラム。
【請求項１５】
前記ｅＮＢに、さらに、２以上のアンテナポートに対し前記ｘＰＢＣＨの送信ダイバーシチを適用させる、請求項１３又は１４に記載のコンピュータプログラム。
【請求項１６】
コンピュータプログラムであって、ｅＮＢ（evolved  NodeB）に、
第５世代（５Ｇ）物理ブロードキャストチャネル送信（ｘＰＢＣＨ）の５Ｇマスタ情報ブロック（ｘＭＩＢ）の１又は複数のパラメータを構成させ、
前記ｘＰＢＣＨ送信について復調参照信号（ＤＭ−ＲＳ）に基づく送信を適用させ、ＤＭ−ＲＳ及び前記ｘＰＢＣＨに割り当てられたデータシンボルの両方に同じビーム形成重みが適用され、
所定リソース上の前記ｘＰＢＣＨにより前記ｘＭＩＢを送信させ、
ｘＰＢＣＨのためのシンボル、スロット、サブフレーム、又はフレームインデックスの観点の時間リソース及びサブキャリア及び物理リソースブロック（ＰＲＢ）インデックスの観点の周波数リソースは、予め定められ、前記ｘＰＢＣＨは、５Ｇ１次同期信号（ｘＰＳＳ）又は５Ｇ２次同期信号（ｘＳＳＳ）と同じサブフレームで送信され、又は、前記ｘＰＢＣＨは、前記ｘＰＳＳ若しくは前記ｘＳＳＳと同じサブ帯域又は前記ｘＰＳＳ若しくは前記ｘＳＳＳに隣接するサブ帯域の中で送信される、
コンピュータプログラム。
【請求項１７】
前記ｘＰＢＣＨと前記ｘＰＳＳ若しくは前記ｘＳＳＳの送信の間の固定サブフレームギャップは、指定される、請求項１６に記載のコンピュータプログラム。
【請求項１８】
単一のｘＰＢＣＨブロックがｘＰＢＣＨ送信期間の中で送信され、又は複数のｘＰＢＣＨブロックがｘＰＢＣＨ送信期間の中で送信される、請求項１６又は１７に記載のコンピュータプログラム。
【請求項１９】
前記ｅＮＢに、さらに、中帯域又は高帯域キャリア周波数に、送信ビーム形成されたｘＰＢＣＨ又は繰り返しｘＰＢＣＨを使用させる、請求項１６乃至１８のいずれか一項に記載のコンピュータプログラム。
【請求項２０】
送信ビームパターンは、前記ｅＮＢによる実装に従い、ユーザ機器（ＵＥ）は、前記ｘＰＢＣＨを復号化するために各ｘＰＢＣＨリソース上の復調参照信号（ＤＭ−ＲＳ）エネルギを測定する、請求項１９に記載のコンピュータプログラム。
【請求項２１】
前記ｘＰＢＣＨ送信の送信ビームインデックス又は時間又は周波数リソースは、５Ｇ１次同期信号（ｘＰＳＳ）、５Ｇ２次同期信号（ｘＳＳＳ）、又はセル識別子（ＩＤ）の関数、又はそれらの組合せを有する、請求項１９乃至２０のいずれか一項に記載のコンピュータプログラム。
【請求項２２】
サブ帯域へのｘＰＢＣＨ送信ビームのマッピングは、異なるｘＰＢＣＨブロックに渡り巡回シフトされる、請求項１９乃至２１のいずれか一項に記載のコンピュータプログラム。
【請求項２３】
異なるｅＮＢは、共同ｘＰＢＣＨ送信のために、異なる時間リソース、又は異なる周波数リソース、又はそれらの組合せでｘＰＢＣＨブロックを送信する、請求項１９乃至２２のいずれか一項に記載のコンピュータプログラム。
【請求項２４】
１つのｘＰＢＣＨ送信期間の中のｘＰＢＣＨリソースサイズは、セル内又はネットワーク内の最大ビームセット数を収容し、各ビームセットは、異なるｅＮＢ又は同じｅＮＢの中の異なるアンテナアレイからの１又は複数のビームを有し、各ビームセットは、ｘＰＢＣＨ送信のために、ユニークな時間リソース、又はユニークな周波数リソース、又はそれらの組合せにマッピングされる、請求項１９乃至２３のいずれか一項に記載のコンピュータプログラム。
【請求項２５】
請求項１３乃至２４のいずれか一項に記載のコンピュータプログラムを記憶したコンピュータ可読記憶媒体。
【発明の詳細な説明】
【技術分野】
【０００１】
［関連出願の参照］
本願は、米国仮特許出願番号第６２／１９９１７５号、２０１５年７月３０日出願（代理人管理番号第Ｐ８７６４１Ｚ号）の利益を請求する。該出願、第６２／１９９１７５号は、参照により本願明細書にその全体が組み込まれる。
【背景技術】
【０００２】
モバイル通信は、初期の音声システムから今日の高機能統合通信プラットフォームまで、大幅に進化している。３ＧＰＰ（Third  Generation  Partnership  Project）及び４Ｇ（Fourth  Generation）ＬＴＥ（Long  Term  Evolution）標準に従い動作するネットワークは、スペクトル制度に依存する種々のスペクトル帯域割り当ての中でサービスを提供するために１００以上の国々で展開されている。近年、第５世代（５Ｇ）として参照される次世代の無線通信技術の思想を中心に構築するために、重要な動きが始まった。
次世代５Ｇ無線通信システムは、種々のユーザ及びアプリケーションにより、どこでも、いつでも、情報へのアクセス及びデータ共有を提供する。次世代５Ｇ技術は、大いに異なる及び時には衝突する性能特質及びサービスに適合するために、統一ネットワーク及びシステムを提供することを期待されている。このような多様性のある多面仕様は、異なるサービス及びアプリケーションにより駆動される。大いに異なる仕様を解決するために、５Ｇは、現在システムの制限を克服するために、技術コンポーネント及びシステムのセットである。一般に５Ｇは、より良好な、より簡易な、及びよりシームレスな無線接続ソリューションによりユーザを豊かにする、追加の可能性のある新しい無線アクセス技術（Radio  Access  Technology：ＲＡＴ）を有する３ＧＰＰ  ＬＴＥ−Ａｄｖａｎｃｅｄ標準に基づき展開する。追加で、５Ｇは、高速且つ豊富なコンテンツ及びサービスを配信するために無線ネットワークにより全てを接続することを可能にする。
【図面の簡単な説明】
【０００３】
請求される主題は、本願明細書の終わりの部分において特に指摘され及びはっきりと請求される。しかしながら、このような主題は、添付の図面と共に読むとき、以下の詳細な説明を参照することにより、理解され得る。
【図１Ａ】１又は複数の実施形態による、ｘＰＢＣＨ生成手順を含む、物理ブロードキャストチャネル（ＰＢＣＨ）構造の生成手順の図である。
【図１Ｂ】１又は複数の実施形態による、ｘＰＢＣＨ生成手順を含む、物理ブロードキャストチャネル（ＰＢＣＨ）構造の生成手順の図である。
【図２】１又は複数の実施形態による、例示的な復調参照シンボル（ＤＭ−ＲＳ）パターンの図である。
【図３】１又は複数の実施形態による、２つのアクセスポイントによる送信（Ｔｘ）ダイバーシチのためのｘＰＢＣＨリソースマッピングの図である。
【図４】１又は複数の実施形態による低帯域のｘＰＢＣＨ送信時間の図である。
【図５】１又は複数の実施形態による、送信（Ｔｘ）ビーム形成ｘＰＢＣＨ送信の一例の図である。
【図６】１又は複数の実施形態による、送信（Ｔｘ）ビーム形成ｘＰＢＣＨ送信の別の例の図である。
【図７】１又は複数の実施形態による、送信（Ｔｘ）ビーム形成ｘＰＢＣＨ送信の更に別の例の図である。
【図８】１又は複数の実施形態による、物理ブロードキャストチャネルを送信又は受信可能な情報処理システムのブロック図である。
【図９】１又は複数の実施形態による、任意的にタッチスクリーンを含み得る図６の情報処理システムの等尺図である。
【図１０】１又は複数の実施形態による無線装置の例示的なコンポーネントの図である。  説明を簡単且つ明確にするため、図中に示された要素は、必ずしも縮尺通りに描かれていないことが理解される。例えば、幾つかの要素の寸法は、明確さのため、他の要素に比して誇張されている。さらに、適切に検討されるとき、対応する又は類似の要素を示すために、参照符号は図の間で繰り返されている。
【発明を実施するための形態】
【０００４】
以下の詳細な説明では、請求される主題の完全な理解を提供するために、多くの詳細事項が説明される。しかしながら、請求される主題がこれらの特定の詳細を有しないで実施できることが当業者により理解されるだろう。他の例では、良く知られた方法、手順、コンポーネント及び／又は回路は詳細に説明されない。
【０００５】
以下の記載及び／又は請求項では、用語「結合される」及び／又は「接続される」がその派生語と共に用いられて良い。特定の実施形態では、「接続される」は２以上の要素が物理的及び／又は電気的に互いに間接的に接触していることを示すために用いられうる。「結合される」は、２以上の要素が物理的及び／又は電気的に直接的に接触していることを意味しうる。しかしながら、「結合される」は、２以上の要素が互いに間接的に接触していないが、依然として互いに協調して及び／又は相互作用していることも意味しうる。例えば、「結合される」は、２以上の要素が互いに接触しないが、別の要素又は中間要素を介して間接的に共に接合されることを意味して良い。最後に、用語「上に（on、overlying、over）」が以下の説明及び請求項において使用されることがある。「上に（on、overlying、over）」は２以上の要素が物理的に互いに直接に接触していることを示すために用いられうる。しかしながら、「over」は、２以上の要素が互いに直接接触しないことも意味して良い。例えば、「over」は、１つの要素が別の要素の上方にあるが互いに接触しないこと、及び２つの要素の間に別の要素又は複数の要素が存在して良いことを意味し得る。さらに、用語「及び／又は（and/or）」は、「及び（and）」、「又は（or）」、「排他的論理和（exclusive−or）」、「１つの」、「幾つかの、しかし全部ではない」、「どちらでもない」、及び／又は「両方」を意味して良い。しかし、請求される主題の範囲はこれに関して限定されない。以下の記載及び／又は請求項では、用語「有する」及び「含む」（comprise、include）がその派生語と共に用いられて良く、互いに同義語として考えられる。
【０００６】
図１Ａ及び図１Ｂを参照して、１又は複数の実施形態による、ｘＰＢＣＨ生成手順を含む、物理ブロードキャストチャネル（ＰＢＣＨ）構造の生成手順の図が議論される。図１Ａは、ＬＴＥ（Long  Term  Evolution）標準のような３ＧＰＰ（Third  Generation  Partnership  Project）標準に従い動作するネットワークの物理ブロードキャストチャネル（physical  broadcast  channel：ＰＢＣＨ）構造１００の生成を示す。図１Ｂは、第５世代（５Ｇ）標準に従い動作するネットワークの物理ブロードキャスト構造（physical  broadcast  structure：ｘＰＢＣＨ）の生成を示す。留意すべきことに、添え字「ｘ」を含む用語は、５Ｇ標準を表して良い。しかしながら、請求される主題の波にはこれに関して必ずしも限定されない。１又は複数の実施形態では、図１ＢのｘＰＢＣＨ２１０は、任意的に、図１Ｂの新しいｘＰＢＣＨの生成のための１又は複数の新しい追加手順により、図１ＢのＰＢＣＨの１又は複数の部分を組み込んで良い。しかしながら、請求される主題の範囲はこれに関して限定されない。図１Ａに示すように、ブロードキャストチャネル（ＢＣＨ）トランスポートブロックは１１０に示され、次のＢＣＨトランスポートブロックは１１２に示される。フレーム期間も示され、例えば４個の無線フレームで４０ｍｓの周期である。しかしながら、請求される主題の範囲はこれに関して限定されない。マスタ情報ブロック（Master  Information  Block：ＭＩＢ）は、ダウンリンクセル帯域幅、物理ハイブリッドＡＲＱ指示チャネル（physical  hybrid−ARQ  indicator  channel：ＰＨＩＣＨ）構成、及びシステムフレーム番号（System  Frame  Number：ＳＦＮ）に関する情報を含む。特に、１つのＭＩＢは１４個の情報ビット及び１０個の予備ビットを含み、１６ビット巡回冗長検査（cyclic  redundancy  check：ＣＲＣ）を添付される。テールバイティング畳み込み符号（Tail  Biting  Convolutional  Code：ＴＢＣＣ）が、ＣＲＣの付加された情報ビットに適用され、次に符号化ビットのレートマッチングが実行される。これは、通常の及び拡張の巡回プレフィックス（cyclic  prefix：ＣＰ）についてそれぞれ１９２０個の符号化ビット及び１７２８個の符号化ビットを生成する。
【０００７】
その後、セル固有スクランブリング符号が、符号化ビットの最上位に適用されて、セル内干渉をランダム化する。セル固有スクランブリング符号は、４０ｍｓ毎に再初期化されるので、システムフレーム番号（ＳＦＮ）の２ビット最下位ビット（Least  Significant  Bit：ＬＳＢ）を区別するための機能を提供できる。これは、１無線フレームを有する１０ミリ秒（ｍｓ）であり、セル固有スクランブリング系列の異なる位相により、４無線フレームを有する４０ｍｓの間で境界検出を有する。
【０００８】
ＰＢＣＨは、サブフレーム０（ゼロ）の第２スロットの最初の４個の直交周波数分割多重（orthogonal  frequency−division  multiplexing：ＯＦＤＭ）シンボルの中で、及び４個のアンテナポートのセル固有参照信号（cell−specific  reference  signals：ＣＲＳ）のために予約されたリソース要素を除く７２個の中心サブキャリアのみにより、送信される。したがって、周波数分割複重（frequency  division  duplex：ＦＤＤ）の場合には、ＰＢＣＨは、サブフレーム０の中の１次同期信号（Primary  Synchronization  Signal：ＰＳＳ）及び２次同期信号（Secondary  Synchronization  Signal：ＳＳＳ）の直後に続く。送信アンテナダイバーシチは、ｅＮＢの能力に依存して、カバレッジを更に拡張するために、ｅＮＢ（evolved  NodeB）においても利用されて良い。より具体的に、２又は４個のアンテナポートを備えるｅＮＢは、空間周波数ブロック符号（Space−Frequency  Block  Code：ＳＦＢＣ）を用いてＰＢＣＨを送信する。ＰＢＣＨの送信モード及びＰＢＣＨアンテナポート数は、ユーザ機器（ＵＥ）においてブラインド検出され、ｅＮＢにおいても、ＰＢＣＨアンテナポート数に依存して、ＣＲＣビットをスクランブリングすることによりＭＩＢのＣＲＣの中で符号化される。
【０００９】
ｘＭＩＢは、セルへの初期アクセスのために必要な最も頻繁に送信される限られた数のパラメータで構成される。３ＧＰＰのＬＴＥ（Long  Term  Evolution）仕様と同様に、ｘＭＩＢも、システム帯域幅に関する情報を運んで良い。このフィールドは、Ｘ０ビットであり、第５世代（５Ｇ）標準において定められるべきシステム帯域幅の数に依存する。代替で、システム帯域幅は、無線リソース制御（radio  resource  control：ＲＲＣ）接続設定、再構成、又は再確立の部分としてＵＥ固有に構成され得る。この場合、Ｘ０＝０である。５Ｇシステムでは、ＰＨＩＣＨは使用されなくて良く、又はｘＰＤＣＣＨにより置き換えられて良い。これは、既存のＬＴＥ仕様の中のＰＨＩＣＨ構成が任意的にｘＭＩＢにおいて使用されなくて良いことを示す。
【００１０】
現在のＬＴＥシステムと同様に、ｘＭＩＢコンテンツも、ＳＦＮに関する情報を含んで良い。ＳＮＦのための正確なビット数は、ｘＰＢＣＨ送信のためのスクランブリング位相の周期及び数に依存する。単一のｘＰＢＣＨブロックがｘＰＢＣＨ周期の間に送信される場合、ｘＭＩＢの中のＳＦＮのためのビット数は、Ｘ１ビットであり、例えば、ＬＴＥ仕様で定められるようにＸ１＝１０である。別の例では、ｘＰＢＣＨ送信周期が８０ｍｓであり８個のｘＰＢＣＨブロックが８０ｍｓ間隔の間に送信される場合、ｘＭＩＢの中のＳＦＮのためのビット数は、Ｘ１−ｌｏｇ２（８）＝（Ｘ１−３）ビットである。
【００１１】
さらに、ｘＭＩＢは、他の物理チャネルの構成情報を含んで良い。一例では、共通探索空間の５Ｇ物理ダウンリンク制御チャネル（５G  physical  downlink  control  channel：ｘＰＤＣＣＨ）構成は、ｘＭＩＢに含まれて良い。ｘＰＢＣＨの復号に成功した後、ＵＥは、ｘＰＤＣＣＨ構成の情報を取得でき、その後、システム情報ブロック（system  information  block：ｘＳＩＢ）の復号を試みる。
【００１２】
上述の分析に基づき、表１は、ｘＰＢＣＨ設計の可能なｘＭＩＢコンテンツを纏める。特定数の予備ビットが将来のリリースのために予約されることに留意する。
【００１３】
［表１］ｘＰＢＣＨ設計のためのｘＭＩＢコンテンツ
【００１４】
【表１】
2018531528.tif 000003
図１Ｂは、１又は複数の実施形態による、ｘＰＢＣＨを生成するための例示的な動作を示す。一例では、ブロック１１４で、ＣＲＣがｘＭＩＢの後に付加されて良い。一実施形態では、ＬＴＥ仕様における既存の１６ビットＣＲＣが再使用されて良い。さらに、本願明細書で議論されるように、送信アンテナポート数に対応するコードワードによるＣＲＣマスクに対する同じ操作が、ｘＰＢＣＨ設計のために利用されて良い。別の実施形態では、送信（Ｔｘ）ビームｘＰＢＣＨ送信による複数の仮説の検討に起因する誤警報レートを更に低減するために、ＣＲＣサイズは２４ビットにまで増大されて良い。一例では、ＬＴＥ仕様で定められるような２４ビットを有するＣＲＣが再使用されて良い。ここで、パリティビットが、以下の巡回生成多項式の１つにより生成される。
【００１５】
ｇＣＲＣ２４Ａ（Ｄ）＝［Ｄ２４＋Ｄ２３＋Ｄ１８＋Ｄ１７＋Ｄ１４＋Ｄ１１＋Ｄ１０＋Ｄ７＋Ｄ６＋Ｄ５＋Ｄ４＋Ｄ３+Ｄ＋１］；
ｇＣＲＣ２４Ｂ（Ｄ）＝［Ｄ２４＋Ｄ２３＋Ｄ６＋Ｄ５＋Ｄ＋１］、ＣＲＣ長Ｌ＝２４のとき。
【００１６】
更に別の実施形態では、送信アンテナポート数に対応するコードワードによるＣＲＣマスクは、ｘＰＢＣＨ送信のために利用されない。このような構成は、ブラインド検出試行の数、したがってＵＥ電力消費を削減し得る。
【００１７】
さらに、実装コストを最小化するために、ブロック１１６で、既存のテールバイティング畳み込み符号（tail−biting  convolution  coding：ＴＢＣＣ）方式が再使用され得る。チャネル符号化の後に、ブロック１１８で、ｘＰＢＣＨ送信の利用可能リソース要素（resource  element：ＲＥ）を満たすために、レートマッチングが実行される。スクランブリング位相の数に依存して、１又は複数のサブフレームが、１つのｘＰＢＣＨ周期の中のｘＰＢＣＨの送信のために割り当てられ得る。さらに、１つのｘＰＢＣＨ送信ブロックは、Ｍ個の物理リソースブロック（physical  resource  block：ＰＲＢ）ペアのＮ個のＯＦＤＭシンボルを占有して良い。例えば、現在のＬＴＥ仕様で定められるように、Ｍ＝６且つＮ＝４である。
【００１８】
チャネル符号化及びレートマッチングの後に、ブロック１２０で、干渉をランダム化し及び任意的にｘＰＢＣＨ送信時間間隔の中のＳＦＮ境界を識別するために、スクランブリングが実行される。特に、既存のＬＴＥ仕様と同様のスクランブリング手順が適用されて良い。一実施形態では、スクランブリング系列は、物理セル識別子（ＩＤ）により初期化されて良い。例えば、ｃｉｎｉｔ＝ＮｃｅｌｌＩＤである。更なる実施形態では、複数のｅＮＢが同じ時間及び周波数リソースで同時にｘＰＢＣＨを送信する「単一周波数ネットワーク」型の動作の場合、スクランブリング系列は、所定値又はクラスタ／サブクラスタＩＤにより初期化されて良い。言い換えると、スクランブリングシードは、ｘＰＢＣＨを送信するとき、複数のｅＮＢの間で共通である。別の実施形態では、上述の場合に干渉ランダム化が必要ないとき、１つの代替は、ｘＰＢＣＨ送信時間間隔の間にスクランブリングを利用しないが、ＳＦＮのｙビット、例えばｙ＝２、ＬＳＢを表すコードワードによりＣＲＣをマスクすることである。ＴＢＣＣ復号化を４回実行する代わりに、ＣＲＣを４回チェックすることは、処理の複雑性の観点で有利であり得る。アンテナポート数は、符号分割多重化（code−division  multiplexing：ＣＤＭ）に基づく復調参照信号（demodulation  reference  signals：ＤＭ−ＲＳ）からブラインド検出され得る。その後、ブロック１２２で、４位相偏移変調（quadrature  phase  shift  keying：ＱＰＳＫ）が変調のために使用され得る。アンテナマッピング及び逆多重化が次に実行されて良い。
【００１９】
図２を参照して、１又は複数の実施形態による、例示的な復調参照シンボル（ＤＭ−ＲＳ）パターンの図が議論される。レーン（lean）システム設計では、オーバヘッドを削減するために、セル固有参照シンボルは存在しなくて良い。この概念に基づき、復調参照信号（ＤＭ−ＲＳ）に基づく送信方式が、ｘＰＢＣＨの送信のために適用されて良い。特に、同じビーム形成重みが、ＤＭ−ＲＳ及びｘＰＢＣＨのために割り当てられたデータシンボルの両方に適用されて良い。ｘＰＢＣＨ送信のために使用されるアンテナポート（ＡＰ）数に依存して、単一レイヤ送信又は送信（Ｔｘ）ダイバーシチが利用されて良い。
【００２０】
図２は、１つのアクセスポイント（ＡＰ）、例２１０、及び２つのＡＰ、例２１２及び例２１４による、ｘＰＢＣＨ送信のためのＤＭ−ＲＳパターンの例を示す。同じＤＭ−ＲＳパターンがＭ個全てのＰＲＢに適用されて良いことに留意する。図２に示す例では、４個のＯＦＤＭシンボルは、１個のｘＰＢＣＨブロックの送信のために想定されて良い。ここで、Ｎ＝４である。４以上のＡＰについて他のＤＭ−ＲＳ及びＤＭ−ＲＳパターンが図２に示す例から容易に拡張できることに留意する。２個のＡＰがｘＰＢＣＨ送信のために使用される場合には、ＡＰ０及びＡＰ１のＤＭ−ＲＳパターンは、例２１２に示すような符号分割多重化（code−division  multiplexing：ＣＤＭ）（オプションＡ）又は例２１４に示すような周波数分割多重化（frequency−division  multiplexing：ＦＤＭ）（オプションＢ）のいずれかに分けられて良い。ある特定の実施形態では、例２１２に示すようなＣＤＭに基づくＤＭ−ＲＳパターンでは、２つのＡＰのＤＭ−ＲＳに適用される直交カバーコード（orthogonal  cover  code：ＯＣＣ）は、それぞれ［１１］及び［１−１］であって良い。
【００２１】
図３を参照して、１又は複数の実施形態による、２つのアクセスポイント（ＡＰ）による送信（Ｔｘ）ダイバーシチのためのｘＰＢＣＨリソースマッピングの図が議論される。２つのＡＰの場合には、送信（Ｔｘ）ダイバーシチが、リンクレベル性能を増大するために利用されて良い。ＤＭ−ＲＳパターンに依存して、ｘＰＢＣＨの送信のためのリソースマッピングは異なって良い。図３は、符号分割多重化（ＣＤＭ）に基づく復調参照信号（Demodulation  Reference  Symbol：ＤＭ−ＲＳ）パターンが利用されるとき、２つのＡＰによるＴｘダイバーシチのｘＰＢＣＨリソースマッピング方式の一例を示す。より具体的には、ローカライズされたリソースマッピング方式が例３１０（オプション１）に示され、分散リソースマッピング方式が例３１２（オプション２）に示される。異なるＤＭ−ＲＳパターンのための及び／又は異なるＡＰ数のための他のリソースマッピング方式が、図３に示した例から直ちに拡張され得ることに留意する。さらに、既存のＬＴＥ仕様と同様に、ユーザ機器（ＵＥ）は、ｘＰＢＣＨの送信のためにＡＰ数をブラインド検出して良い。上述のように、ＡＰ数は、ＣＲＣマスクにより示されて良い。ｘＰＢＣＨの送信のための、時間リソース、例えばシンボル、スロット、サブフレーム又はフレームインデックス、及び周波数リソース、例えばサブキャリア及びＰＲＢインデックスは、ＵＥが初期アクセスのための情報を迅速に取得できるように予め定められて良い。幾つかのオプションが、以下に議論するようにｘＰＢＣＨ送信のための時間及び／又は周波数リソース割り当てのために考慮されて良い。
【００２２】
一実施形態では、ｘＰＢＣＨは、ｘＰＳＳ／ｘＳＳＳと同じサブフレームで送信されて良い。一例では、ｘＰＢＣＨ及びｘＰＳＳ／ｘＳＳＳは、ＵＥが低い複雑性でネットワークにアクセスできるように、最小システム帯域幅を占有する。別の例では、最小システム帯域幅が比較的大きい場合に、複数のサブ帯域が、ｘＰＳＳ／ｘＳＳＳ及び／又はｘＰＢＣＨの送信のために割り当てられて良い。この場合、ｘＰＳＳ／ｘＳＳＳは、中心サブ帯域で送信されて良く、一方でｘＰＢＣＨは中心サブ帯域に隣接して送信されて良い。代替で、ｘＰＢＣＨは、ｘＰＳＳ／ｘＳＳＳと異なるシンボルで、しかし同じ周波数位置で、例えば中心サブ帯域又は複数のサブ帯域で、送信されて良い。既存のＬＴＥ仕様と比べて、ｘＰＳＳ／ｘＳＳＳは、中帯域及び高帯域のビーム取得の目的にも役に立つ。
【００２３】
別の実施形態では、ｘＰＢＣＨとｘＰＳＳ／ｘＳＳＳの送信の間の固定サブフレームギャップが指定されて良い。一例では、ｘＰＢＣＨは、ｘＰＳＳ／ｘＳＳＳ送信の隣のサブフレームで送信されて良い。この方式は、送信（Ｔｘ）ビーム形成又は受信がｘＰＳＳ及びｘＳＳＳの送信に適用されるとき、中帯域及び高帯域に適して良い。この場合、ｘＰＳＳ／ｘＳＳＳ及びｘＰＢＣＨは、１又は複数のサブフレームに及んで良い。別の例では、ｘＰＢＣＨは、ｘＰＳＳ／ｘＳＳＳの前に送信されて良い。代替で、ｘＰＳＳ／ｘＳＳＳは、複数のｘＰＢＣＨブロックの間に送信されて良い。
【００２４】
図４を参照して、１又は複数の実施形態による低帯域のｘＰＢＣＨ送信時間の図が議論される。低帯域、６ＧＨｚより低いキャリア周波数、では、ｘＰＢＣＨ送信方式のために幾つかのオプションが考慮されて良い。一実施形態では、単一のｘＰＢＣＨブロック、ここでＬ＝１、がＸｍｓ間隔の間に送信されて良い。このような構成は、ブラインド検出試行の数、したがってＵＥ電力消費を削減するのを助ける場合がある。一例では、ＬＴＥ仕様で定められるように、Ｘ＝４０ｍｓである。
【００２５】
別の実施形態では、複数のｘＰＢＣＨブロック、ここでＬ＞１、がＸｍｓ間隔の間に送信されて良い。図４は、低帯域のｘＰＢＣＨ送信時間を示す。図４に示すように、ｘＰＢＣＨはＸｍｓの周期で送信され、Ｌ個のｘＰＢＣＨブロックは、このＸｍｓ期間の中で送信されて良い。言い換えると、スクランブリング符号は、Ｘｍｓ毎に再初期化されて良く、Ｘｍｓの中でＬ個の異なるスクランブリング位相が生成されて良い。この場合、ＵＥは、ｘＭＩＢ情報を取得するために、複数のブラインド復号化試行を実行して良い。しかしながら、各ブロックが自己復号化可能である場合、付加待ち時間はＸからＸ／Ｌｍｓまで短縮され得る。
【００２６】
図５及び図６を参照して、１又は複数の実施形態による送信（Ｔｘ）ビーム形成ｘＰＢＣＨ送信の例の図が議論される。６ＧＨｚ乃至３０ＧＨｚの間のキャリア周波数を有する中帯域、及び３０ＧＨｚを超えるキャリア周波数を有する高帯域では、適正なカバレッジを保証するために、ビーム形成が利用されて良い。図５及び図６は、送信（Ｔｘ）ビーム形成される又は反復されるｘＰＢＣＨ送信の例を示す。図５及び図６に示すように、送信（Ｔｘ）ビーム形成ｘＰＢＣＨが検討されたが、同じ設計原理は、反復されるｘＰＢＣＨ送信に適用されて良いことに留意する。追加で、図５及び図６に示す２つの例では、同じスクランブリング位相が、ｘＰＢＣＨ送信周期、つまり図５及び図６に示すようにＸｍｓ、の中の複数のｘＰＢＣＨブロックに適用されて良い。この場合、所与の送信（Ｔｘ）ビームグループの中のｘＰＢＣＨブロックは同じＳＦＮ情報を運び、ＳＦＮビットは、各Ｔｘビームグループに渡り変化する。共同ｘＰＢＣＨ送信では、異なるｅＮＢが、異なる時間及び／又は周波数リソースでｘＰＢＣＨブロックを送信して良い。例えば、図５で、ｘＰＢＣＨブロック＃０は、ｅＮＢ＃０により送信されて良く、一方で、ｘＰＢＣＨブロック＃１はｅＮＢ＃１により送信されて良い。
【００２７】
図５で、ｘＰＢＣＨブロックは、ｘＰＳＳ／ｘＳＳＳ送信の後の１サブフレームで送信され、中央のＭ個のＰＲＢを占有する。ＸｍｓのｘＰＢＣＨ送信周期の中で、Ｌ個のＴｘビームグループがｘＰＢＣＨ送信のために使用されて良い。この例では、Ｌ＝４及びＸｍｓ周期の中のＴｘビーム又は反復ｘＰＢＣＨブロックの合計数は、１２である。図６で、ｘＰＢＣＨブロックは、ｘＰＳＳ／ｘＳＳＳ送信と同じサブフレームで送信され、ｘＰＳＳ／ｘＳＳＳに隣接するＭ個のＰＲＢを占有する。この例では、全部で２４個のＴｘビーム又は反復ブロックが、Ｘｍｓ期間の中のｘＰＢＣＨの送信のために使用される。
【００２８】
図７を参照して、１又は複数の実施形態による送信（Ｔｘ）ビーム形成ｘＰＢＣＨ送信の更に別の例の図が議論される。図７で、チャネル符号化及びシンボル変調ｘＰＢＣＨは、８個のｘＰＢＣＨブロックに逆多重化される。所与の自己復号化可能ｘＰＢＣＨブロックは、３２個の異なる送信（Ｔｘ）ビームによりビーム形成されて良い。その結果、複数のビーム形成ブロックが、ｘＰＢＣＨ送信のために割り当てられた、ＯＦＤＭの異なるサブ帯域、又は他のブロック送信波形、シンボルで送信されて良い。中〜高周波数帯域では、最小子捨て得帯域幅が、多数のリソースブロック（resource  block：ＲＢ）、例えば７５ｋＨｚサブキャリア間隔を有する１００個のＲＢ、により定められて良い。図７に示すように、サブ帯域へのｘＰＢＣＨ  Ｔｘビームのマッピングは、異なるｘＰＢＣＨブロックに渡り巡回シフトされて良い。このような構成は、ｘＰＢＣＨの信頼できる復号化のために複数のｘＰＢＣＨブロックのソフトビット結合を実行し得るカバレッジの限られたＵＥに、時間及び周波数ダイバーシチ利得を提供できる。
【００２９】
留意すべきことに、異なる送信（Ｔｘ）ビーム数及びリソース割り当て方式、例えば周波数ドメインにおける複数のサブ帯域の割り当て、が図５、図６、又は図７に示す例から直ちに拡張され得る。ｘＰＢＣＨ送信リソースサイズ、例えばシンボル数及び／又はＰＲＢ又はサブ帯域数は、所定のリソースサイズがセル内の又はネットワーク内の最大ビームセット数を収容できるように、予め決定されて良い。各ビームセットは、異なるｅＮＢからの又は同一ｅＮＢ内の異なるアレイアンテナからの１又は複数のビームを有して良く、ｘＰＢＣＨ送信のために１つのユニークな時間及び／又は周波数リソースにマッピングされて良い。ビームダイバーシチに基づくｘＰＢＣＨ送信は、ビームカバレッジを失うことなく、ｘＰＢＣＨオーバヘッドを削減するために有利であり得る。
【００３０】
ｘＰＢＣＨ送信のためのＴｘビームパターンに関して、以下のように幾つかのオプションが検討できる。一実施形態では、送信（Ｔｘ）ビームパターンは、ｅＮＢによる実装に依存する。ＵＥは、異なるＴｘビームが異なるｘＰＢＣＨブロックに適用されると想定して良い。この場合、ＵＥは、先ず、対応するリソース上のＤＭ−ＲＳのエネルギを測定する。測定したＤＭ−ＲＳエネルギが特定の閾より高い場合、ＵＥはｘＰＢＣＨブロックを復号しようとする。
【００３１】
別の実施形態では、送信（Ｔｘ）ビームインデックス又はｘＰＢＣＨ送信のための時間及び／又は周波数リソースは、ｘＰＳＳ及び／又はｘＳＳＳ及び／又はセルＩＤの送信のために使用されるビームインデックスの関数として定められて良い。ｘＰＳＳ及び／又はｘＳＳＳからのＴｘビームインデックスを取得した後に、ＵＥは、ｘＰＢＣＨ送信の最良Ｔｘビームインデックスの位置を導出して良い。この場合、ＵＥは、全てのｘＰＢＣＨブロックについてＤＭ−ＲＳを測定する必要がなく、それにより、電力消費を低減する。例えば、図５で、ｘＰＳＳのために使用されるＴｘビームインデックスとｘＰＢＣＨブロックとの間の１対１マッピングが定められて良い。この場合、ＵＥは、ｘＰＢＣＨ復号化のための限られたリソース数を探索するだけで良い。
【００３２】
上述のように、「単一周波数ネットワーク」型の動作の場合、複数のｅＮＢが、同じ時間及び周波数リソースで同時にｘＰＢＣＨブロックを送信する。これは、複数サイトのビームダイバーシチの利益を利用するのを助け得る。さらに、ＤＭ−ＲＳ及びｘＰＢＣＨ送信のために使用されるデータシンボルは、適正なチャネル推定を可能にするために、複数のｅＮＢからの同じ複数のビームを使用して良い。
【００３３】
図８を参照して、１又は複数の実施形態による、物理ブロードキャストチャネルを送信又は受信可能な情報処理システムのブロック図が議論される。図８の情報処理システム８００は、特定の装置のハードウェア仕様に依存してより多くの又は少ないコンポーネントにより、本願明細書に記載のネットワーク要素のうちの任意の１又は複数を有形に具現化して良い。一実施形態では、情報処理システム８００は、回路を有するｅＮＢ（evolved  NodeB）の装置を有形に具現化して良い。ここで、回路は、ベースバンド処理回路により、第５世代（５Ｇ）マスタ情報ブロック（master  information  block：ｘＭＩＢ）の１又は複数のパラメータを構成し、ｘＭＩＢは、以下のパラメータ：ダウンリンクシステム帯域幅、システムフレーム番号（ＳＦＮ）、又は他の物理チャネルの構成、又はそれらの組合せ、のうちの少なくとも１つを含み、無線周波数処理回路により、所定リソース上の５Ｇ物理ブロードキャストチャネル（ｘＰＢＣＨ）によりｘＭＩＢを送信する。別の実施形態では、情報処理システム８００は、格納された命令を有する１又は複数のコンピュータ可読記憶媒体を雄勁に具現化して良い。命令は、ｅＮＢ（evolved  NodeB）により実行されると、第５世代（５Ｇ）物理ブロードキャストチャネル送信（physical  broadcast  channel  transmission：ｘＰＢＣＨ）の５Ｇマスタ情報ブロック（ｘＭＩＢ）の１又は複数のパラメータを構成させ、ｘＰＢＣＨの復調参照信号（ＤＭ−ＲＳ）に基づく送信を適用させ、ＤＭ−ＲＳ及びｘＰＢＣＨに割り当てられたデータシンボルの両方に同じビーム形成重みが適用され、所定リソース上のｘＰＢＣＨによりｘＭＩＢを送信させる。情報処理システム８００は、幾つかの種類のコンピューティングプラットフォームの一例を示すが、情報処理システム８００は、図８に示したものより多くの又は少ない要素及び／又は要素の異なる配置を有して良く、請求される主題の範囲はこれらの側面に限定されない。
【００３４】
１又は複数の実施形態では、情報処理システム８００は、アプリケーションプロセッサ８１０及びベースバンドプロセッサ８１２を有して良い。アプリケーションプロセッサ８１０は、情報処理システム８００のためのアプリケーション及び種々のサブシステムを走らせるための汎用プロセッサとして利用されて良い。アプリケーションプロセッサ８１０は、シングルコアを有して良く、又は代替で複数の処理コアを有して良い。コアのういの１又は複数は、デジタル信号プロセッサ又はデジタル信号処理（ＤＳＰ）コアを有して良い。さらに、アプリケーションプロセッサ８１０は、同一チップに配置されたグラフィックプロセッサ又はコプロセッサを有して良い。あるいは、代替で、アプリケーションプロセッサ８１０に結合されたグラフィックプロセッサは、別個の個別グラフィックチップを有して良い。アプリケーションプロセッサ８１０は、キャッシュメモリのようなオンボードメモリを有して良く、更に、アプリケーションを格納し及び／又は動作中に実行するための同期動的ランダムアクセスメモリ（ＳＤＲＡＭ）８１４、情報処理システム８００が電源オフにされるときにもアプリケーション及び／又はデータを格納するためのＮＡＮＤフラッシュ８１６のような外部メモリ装置に結合されて良い。１又は複数の実施形態では、本願明細書に記載の様な方法で作動させるために、情報処理システム８００及び／又はそのコンポーネント若しくはサブシステムを作動させ又は構成させる命令は、非一時的記憶媒体を有する製品に格納されて良い。１又は複数の実施形態では、記憶媒体は、本願明細書に示され及び説明されたメモリ装置のうちの任意のものを有して良いが、請求される主題の範囲はこれに関して限定されない。ベースバンドプロセッサ８１２は、情報処理システム８００のためのブロードバンド無線機能を制御して良い。ベースバンドプロセッサ８１２は、ＮＯＲフラッシュ８１８の中のブロードバンド無線機能等を制御するコードを格納して良い。ベースバンドプロセッサ８１２は、ブロードバンドネットワーク信号を変調及び／又は復調するため、例えば３ＧＰＰ  ＬＴＥ又はＬＴＥ−Ａｄｖａｎｃｅｄネットワーク等を介して通信するために使用される無線広域ネットワーク（ＷＷＡＮ）通信機８２０を制御する。
【００３５】
概して、ＷＷＡＮ通信機８２０は、以下を含むがそれらに限定されない無線通信技術及び／又は標準のうちの任意の１又は複数に従い動作して良い：ＧＳＭ（登録商標）（Global  System  for  Mobile  Communications）無線通信技術、ＧＰＲＳ（General  Packet  Radio  Service）無線通信技術、ＥＤＧＥ（Enhanced  Data  Rates  for  GSM（登録商標）  Evolution）無線通信技術、及び／又は３ＧＰＰ（Third  Generation  Partnership  Project）無線通信技術、例えばＵＭＴＳ（Universal  Mobile  Telecommunications  System）、ＦＯＭＡ（Freedom  of  Multimedia  Access  ）、３ＧＰＰ  ＬＴＥ（Long  Term  Evolution）、３ＧＰＰ  ＬＴＥ  Ａｄｖａｎｃｅｄ、ＣＤＭＡ２０００（Code  division  multiple  access  ２０００）、ＣＤＰＤ（Cellular  Digital  Packet  Data）、Mobitex、３Ｇ（Third  Generation）、ＣＳＤ（Circuit  Switched  Data）、ＨＳＣＳＤ（High−Speed  Circuit−Switched  Data）、ＵＭＴＳ（Universal  Mobile  Telecommunications  System）（３Ｇ）、Ｗ−ＣＤＭＡ（ＵＭＴＳ）（Wideband  Code  Division  Multiple  Access  （Universal  Mobile  Telecommunications  System）、ＨＳＰＡ（High  Speed  Packet  Access）、ＨＳＤＰＡ（High−Speed  Downlink  Packet  Access）、ＨＳＵＰＡ（High−Speed  Uplink  Packet  Access）、ＨＳＰＡ＋（High  Speed  Packet  Access  Plus）、ＵＭＴＳ−ＴＤＤ（Universal  Mobile  Telecommunications  System−Time−Division  Duplex）、ＴＤ−ＣＤＭＡ（Time  Division−Code  Division  Multiple  Access）、ＴＤ−ＳＣＤＭＡ（TimeDivision−Synchronous  Code  Division  Multiple  Access）、３ＧＰＰ  Ｒｅｌ．８（３GPP  Rel.８  （Pre−４G））、３ＧＰＰ  Ｒｅｌ．９、３ＧＰＰ  Ｒｅｌ．１０、３ＧＰＰ  Ｒｅｌ．１１、３ＧＰＰ  Ｒｅｌ．１２、３ＧＰＰ  Ｒｅｌ．１３、３ＧＰＰ  Ｒｅｌ．１４、３ＧＰＰ  ＬＴＥ  Ｅｘｔｒａ、ＬＡＡ（LTE  Licensed−Assisted  Access）、ＵＴＲＡ（UMTS  Terrestrial  Radio  Access）、Ｅ−ＵＴＲＡ（Evolved  UMTS  Terrestrial  Radio  Access）、ＬＴＥ  Ａｄｖａｎｃｅｄ（４Ｇ）（Long  Term  Evolution  Advanced（４th  Generation）、ｃｄｍａＯｎｅ（２Ｇ）、ＣＤＭＡ２０００（Code  division  multiple  access  ２０００）（３Ｇ）、ＥＶ−ＤＯ（Evolution−Data  Optimized  or  Evolution−Data  Only）、ＡＭＰＳ（１Ｇ）（Advanced  Mobile  Phone  System（１st  Generation）、ＴＡＣＳ／ＥＴＡＣＳ（Total  Access  Communication  System/Extended  Total  Access  Communication  System）、Ｄ−ＡＭＰＳ（２Ｇ）（Digital  AMPS（２nd  Generation）、ＰＴＴ（Push−to−talk）、ＭＴＳ（Mobile  Telephone  System）、ＩＭＴＳ（Improved  Mobile  Telephone  System）、ＡＭＴＳ（Advanced  Mobile  Telephone  System）、ＯＬＴ（Norwegian  for  Offentlig  Landmobil  Telefoni,  Public  Land  Mobile  Telephony）、ＭＴＤ（Mobiltelefonisystem  D又はMobile  telephony  system  D）、Ａｕｔｏｔｅ／ＰＡＬＭ（Public  Automated  Land  Mobile）、ＡＲＰ（Autoradiopuhelin、「car  radio  phone」）、ＮＭＴ（Nordic  Mobile  Telephony）、Ｈｉｃａｐ（High  capacity  version  of  NTT（Nippon  Telegraph  and  Telephone）、ＣＤＰＤ（Cellular  Digital  Packet  Data）、Mobitex、DataTAC、ｉＤＥＮ（Integrated  Digital  Enhanced  Network）、ＰＤＣ（Personal  Digital  Cellular）、ＣＳＤ（Circuit  Switched  Data）、ＰＨＳ（Personal  Handy−phone  System）、ＷｉＤＥＮ（Wideband  Integrated  Digital  Enhanced  Network）、iBurst、ＵＭＡ（Unlicensed  Mobile  Access）、３ＧＰＰ  ＧＡＮ（３GPP  Generic  Access  Network又はGAN標準としても参照される）、Zigbee、Bluetooth（登録商標）、ＷｉＧｉｇ（Wireless  Gigabit  Alliance）標準、��リ波（mmWave）標準、ＷｉＧｉｇ、ＩＥＥＥ８０２．１１ａｄ、ＩＥＥＥ８０２．１１ａｙ等のような通常は１０〜９０ＧＨｚ以上で動作する無線システム及び／又は一般的なテレメトリ通信機、及び一般的に任意の種類のＲＦ回路又はＲＩ感知回路。留意すべきことに、このような標準は、時間に渡り発展し、及び／又は新しい標準が発布されることがあり、請求される主題の範囲はこれに関して限定されない。
【００３６】
ＷＷＡＮ通信機８２０は、ＷＷＡＮブロードバンドネットワークを介して無線周波数信号を送信し及び受信する１又は複数のアンテナ８２４にそれぞれ結合される１又は複数の電力増幅器８４２に結合される。ベースバンドプロセッサ８１２は、１又は複数の適切なアンテナ８２８に結合され且つＷｉ−Ｆｉ、Ｂｌｕｅｔｏｏｔｈ（登録商標）及び／又はＩＥＥＥ８０２．１１ａ／ｂ／ｇ／ｎ標準等を含む振幅変調（ＡＭ）若しくは周波数変調（ＦＭ）無線規格により通信可能であって良い無線ローカルエリアネットワーク（ＷＬＡＮ）通信機８２６も制御して良い。留意すべきことに、これらは、アプリケーションプロセッサ８１０及びベースバンドプロセッサ８１２の単なる例示的な実装であり、請求される主題の範囲はこれらに関して限定されない。例えば、ＳＤＲＡＭ６１４、ＮＡＮＤフラッシュ８１６及び／又はＮＯＲフラッシュ８１８のうちの任意の１又は複数は、磁気メモリ、カルコゲニドメモリ、相変化メモリ、オボニックメモリのような又は他の種類のメモリ技術を有して良い。請求される主題の範囲はこれに関して限定されない。
【００３７】
１又は複数の実施形態では、アプリケーションプロセッサ８１０は、種々の情報又はデータを表示するディスプレイ８３０を駆動して良く、更にタッチスクリーン８３２を介して、例えば指又はスタイラスを介してユーザからタッチ入力を受信して良い。周囲光センサ８３４は、情報処理システム８００が動作している周囲の光量を検出して、例えば周囲光センサ８３４により検出された周囲光の強度に応じてディスプレイ８３０の輝度又はコントラスト値を制御するために利用されて良い。１又は複数のカメラ８３６は、アプリケーションプロセッサ８１０により処理され及び／又は少なくとも一時的にＮＡＮＤフラッシュ８１６に格納される画像をキャプチャするために利用されて良い。さらに、アプリケーションプロセッサは、情報処理システム８００の位置、動き及び／又は方向を含む種々の環境特性を検出するために、ジャイロスコープ８３８、加速度計８４０、磁気計８４２、オーディオコーダ／デコーダ（ＣＯＤＥＣ）８４４、及び／又は適切なＧＰＳアンテナ８４８に結合されたＧＰＳ（全測位システム）制御部８４６に結合されて良い。代替で、制御部８４６は、ＧＮＳＳ（Global  Navigation  Satellite  System）制御部を有して良い。オーディオＣＯＤＥＣ８４４は、内部装置を介して及び／又は情報処理システム８００にオーディオポート８５０を介して、例えばヘッドフォン及びマイクロフォンジャックを介して結合された外部装置を介してマイクロフォン入力及びスピーカ出力を提供するために、１又は複数のオーディオポート８５０に結合されて良い。さらに、アプリケーションプロセッサ８１０は、ＵＳＢ（universal  serial  bus）ポート、ＨＤＭＩ（登録商標）（high−definition  multimedia  interface）ポート、シリアルポートなどのような１又は複数のＩ／Ｏポート８５４に結合するために、１又は複数の入力／出力（Ｉ／Ｏ）通信機８５２に結合して良い。さらに、Ｉ／Ｏ通信機８５２のうちの１又は複数は、ＳＤ（secure  digital）カード又はＳＩＭ（subscriber  identity  module）カードのような任意的な取り外し可能メモリのための１又は複数のメモリスロット８５６に結合して良い。しかしながら、請求される主題の範囲はこれに関して限定されない。
【００３８】
図９を参照して、１又は複数の実施形態による、任意的にタッチスクリーンを含み得る図８の情報処理システムの等尺図が議論される。図９は、携帯電話機、スマートフォン、又はタブレット型装置、等として具現化される図８の情報処理システム８００の例示的な実装を示す。情報処理システム８００は、ユーザの指９１６を介して及び／又はスタイラス９１８を介して１又は複数のアプリケーションプロセッサ８１０を制御するための触覚入力制御及びコマンドを受信するタッチスクリーン８３２を備えて良いディスプレイ８３０を含む筐体９１０を有して良い。筐体９１０は、情報処理システム８００の１又は複数のコンポーネント、例えば１又は複数のアプリケーションプロセッサ８１０、ＳＤＲＡＭ８１４、ＮＡＮＤフラッシュ８１６、ベースバンドプロセッサ８１２及び／又は通信機８２０のうちの１又は複数を収容して良い。情報処理システム８００は、任意で、１又は複数のボタン又はスイッチを介して情報処理システムを制御するためのキーボード又はボタンを含み得る物理アクチュエータ領域９２０を任意的に更に有して良い。情報処理システム８００は、例えばＳＤ（secure  digital）カード又はＳＩＭ（subscriber  identity  module）カードの形式のフラッシュメモリのような不揮発性メモリを受けるポート又はスロット８５６も有して良い。任意で、情報処理システム８００は、１又は複数のスピーカ及び／又はマイクロフォン９２４と、情報処理システム８００を別の電子装置、ドック、ディスプレイ、バッテリ充電器、等に接続する接続ポート８５４と、を更に有して良い。さらに、情報処理システム８００は、筐体９１０の片側又は両側に、ヘッドフォン又はスピーカジャック９２８と、１又は複数のカメラ８３６と、を有して良い。留意すべきことに、図９の情報処理システム８００は、種々の配置で、図示のものより多くの又は少ない要素を有して良く、請求される主題の範囲はこれに関して限定されない。
【００３９】
本願明細書で用いられるとき、用語「回路」は、１又は複数のソフトウェア若しくはファームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含み得る。幾つかの実施形態では、１又は複数のソフトウェア又はファームウェアモジュールに、回路が実装されて良く、或いは、回路に関連する関数が実装されて良い。幾つかの実施形態では、回路は、少なくとも部分的にハードウェアで動作可能なロジックを含み得る。ここに記載の実施形態は、任意の適切に構成されたハードウェア及び／又はソフトウェアを用いてシステムに実装されて良い。
【００４０】
図１０を参照して、１又は複数の実施形態によるｅＮＢ（evolved  NodeB）装置又はユーザ機器（ＵＥ）装置のような無線装置の例示的なコンポーネントが議論される。議論を目的として図１０の無線装置はｅＮＢ装置として参照されるが、請求される主題の範囲はこれに関して限定されない。幾つかの態様では、ｅＮＢ装置１０００は、少なくとも図示のように一緒に結合される、アプリケーション回路１００２、ベースバンド回路１００４、無線周波数（ＲＦ）回路１００６、フロントエンドモジュール（ＦＥＭ）回路１００８、及び１又は複数のアンテナ１０１０、を含み得る。
【００４１】
アプリケーション回路１００２は、１又は複数のアプリケーションプロセッサを含み得る。例えば、アプリケーション回路１００２は、１又は複数のシングルコア又はマルチコアプロセッサのような回路を有し得るが、これに限定されない。１又は複数のプロセッサは、汎用プロセッサ及び専用プロセッサ、例えば、グラフィックプロセッサ、アプリケーションプロセッサ、等、の任意の組合せを有し得る。プロセッサは、メモリ及び／又は記憶装置に結合されて良く及び／又はそれを含んで良く、システム上で種々のアプリケーション及び／又はオペレーティングシステムを走らせるためにメモリ及び／又は記憶装置に格納された命令を実行するよう構成されて良い。
【００４２】
ベースバンド回路１００４は、１又は複数のシングルコア又はマルチコアプロセッサのような回路を有し得るが、これに限定されない。ベースバンド回路１００４は、ＲＦ回路１００６の受信信号経路から受信されるベースバンド信号を処理するため及びＲＦ回路１００６の送信信号経路へのベースバンド信号を生成するために、１又は複数のベースバンドプロセッサ及び／又は制御ロジックを有し得る。ベースバンド処理回路１００４は、ベースバンド信号の生成及び処理のため、及びＲＦ回路１００６の動作を制御するために、アプリケーション回路１００２とインタフェースできる。例えば、幾つかの実施形態では、ベースバンド回路８０４は、第２世代（２Ｇ）ベースバンドプロセッサ１００４ａ、第３世代（３Ｇ）ベースバンドプロセッサ１００４ｂ、第４世代（４Ｇ）ベースバンドプロセッサ１００４ｃ、及び／又は既存の世代、開発中の又は将来開発される世代（例えば、第５世代（５Ｇ）、６Ｇ、等）のための他のベースバンドプロセッサ１００４ｄを有し得る。ベースバンド回路１００４、例えばベースバンド回路１００４ａ〜１００４ｄのうちの１又は複数は、ＲＦ回路１００６を介して１又は複数の無線ネットワークとの通信を可能にする種々の制御機能を扱って良い。無線制御機能は、限定ではないが、信号変調及び／又は復調、符号化及び／又は復号化、無線周波数シフト、等を有し得る。幾つかの実施形態では、ベースバンド回路１００４の変調及び／又は復調回路１００４は、高速フーリエ変換（ＦＦＴ）、プリコーディング、及び／又はコンステレーションマッピング及び／又はデマッピング機能を有し得る。幾つかの態様では、ベースバンド回路８０４の符号化及び／又は復号化回路は、畳み込み、テールバイティング畳み込み、ターボ、ビタビ、及び／又は低密度パリティ検査（ＬＤＰＣ）エンコーダ及び／又はデコーダ機能を有し得る。変調及び／又は復調及びエンコーダ及び／又はデコーダ機能の実施形態は、これらの例に限定されず、他の実施形態において他の適切な機能を含み得る。
【００４３】
幾つかの実施形態では、ベースバンド回路１００４は、例えば物理（ＰＨＹ）、媒体アクセス制御（ＭＡＣ）、無線リンク制御（ＲＬＣ）、ＰＤＣＰ（packet  data  convergence  protocol）、及び／又は無線リソース制御（ＲＲＣ）要素を含む、例えばＥＵＴＲＡＮ（evolved  universal  terrestrial  radio  access  network）プロトコルの要素のような、プロトコルスタックの要素を含み得る。ベースバンド回路１００４のプロセッサ１００４ｅは、ＰＨＹ、ＭＡＣ、ＲＬＣ、ＰＤＣＰ、及び／又はＲＲＣレイヤのシグナリングのためにプロトコルスタックの要素を実行するよう構成され得る。幾つかの実施形態では、ベースバンド回路は、１又は複数のオーディオデジタル信号プロセッサ（ＤＳＰ）１４０４ｆを有し得る。１又は複数のオーディオＤＳＰ１００４ｆは、圧縮及び／又は伸長及び／又はエコーキャンセルのための要素を含み、他の実施形態では他の適切な処理要素を含み得る。ベースバンド回路のコンポーネントは、単一チップ、単一チップセットに適切に結合でき、又は幾つかの実施形態では同じ回路基板に配置できる。幾つかの実施形態では、ベースバンド回路１００４及びアプリケーション回路１００２の構成要素のうちの一部又は全部は、例えばシステムオンチップ（ＳＯＣ）のように一緒に実装できる。
【００４４】
幾つかの実施形態では、ベースバンド回路１００４は、１又は複数の無線技術と互換性のある通信を提供して良い。例えば、幾つかの実施形態では、ベースバンド回路１００４は、ＥＵＴＲＡＮ（evolved  universal  terrestrial  radio  access  network）及び／又は他の無線都市域ネットワーク（ＷＭＡＮ）、無線ローカルエリアネットワーク（ＷＬＡＮ）、又は無線個人域ネットワーク（ＷＰＡＮ）との通信をサポートし得る。ベースバンド回路８０４が１より多くの無線プロトコルの無線通信をサポートするよう構成される実施形態は、マルチモードベースバンド回路として参照され得る。
【００４５】
ＲＦ回路１００６は、非固体媒体を通じる変調電磁放射を用いる無線ネットワークとの通信を可能にできる。種々の実施形態において、ＲＦ回路１００６は、無線ネットワークとの通信を実現するために、スイッチ、フィルタ、増幅器、等を有し得る。ＲＦ回路１００６は、ＦＥＭ回路１００８から受信されるＲＦ信号をダウンコンバートするための回路を有し得る受信信号経路を含み、ベースバンド信号をベースバンド回路１００４に提供できる。ＲＦ回路１００６は、ベースバンド回路１００４により提供されるベースバンド信号をアップコンバートするための回路を含み得る送信信号経路も含み、送信のためにＲＦ出力信号をＦＥＭ回路１００８へ提供できる。
【００４６】
幾つかの実施形態では、ＲＦ回路１００６は、受信信号経路及び送信信号経路を含み得る。ＲＦ回路１００６の受信信号経路は、ミキサ回路１００６ａ、増幅器回路１００６ｂ、及びフィルタ回路１００６ｃを含み得る。ＲＦ回路１００６の送信信号経路は、フィルタ回路１００６ｃ及びミキサ回路１００６ａを含み得る。ＲＦ回路１００６は、受信信号経路及び送信信号経路のミキサ回路１００６ａにより使用するために周波数を合成する合成回路１００６ｄも有し得る。幾つかの実施形態では、受信信号経路のミキサ回路１００６ａは、合成回路１００６ｄにより提供される合成周波数に基づき、ＦＥＭ回路１００８から受信されるＲＦ信号をダウンコンバートするよう構成され得る。増幅器回路１００６ｂは、ダウンコンバートされた信号を増幅するよう構成でき、フィルタ回路１００６ｃは、ダウンコンバートされた信号から不要信号を除去して出力ベースバンド信号を生成するよう構成されるローパスフィルタ（ＬＰＦ）又はバンパスフィルタ（ＢＰＦ）であり得る。出力ベースバンド信号は、更なる処理のためにベースバンド回路１００４に提供され得る。幾つかの実施形態では、出力ベースバンド信号は、ゼロ周波数ベースバンド信号であり得るが、これは任意であって良い。幾つかの実施形態では、受信信号経路のミキサ回路１００６ａは、受動型ミキサを有し得るが、本実施形態の範囲はこの点において限定されない。
【００４７】
幾つかの実施形態では、送信信号経路のミキサ回路１００６ａは、合成回路１００６ｄにより提供される合成周波数に基づき、入力ベースバンド信号をアップコンバートして、ＦＥＭ回路１００８のためにＲＦ出力信号を生成するよう構成され得る。ベースバンド信号は、ベースバンド回路１００４により提供され、フィルタ回路１００６ｃによりフィルタされ得る。フィルタ回路１００６ｃは、ローパスフィルタ（ＬＰＦ）を含み得るが、本実施形態の範囲はこれに関して限定されない。
【００４８】
幾つかの実施形態では、受信信号経路のミキサ回路１００６ａ及び送信信号経路のミキサ回路１００６ａは、２以上のミキサを含み、それぞれ直交ダウンコンバーンジョン及び／又はアップコンバージョンのために配置され得る。幾つかの実施形態では、受信信号経路のミキサ回路１００６ａ及び送信信号経路のミキサ回路１００６ａは、２以上のミキサを含み、イメージ除去、例えばHartleyイメージ除去のために配置され得る。幾つかの態様では、受信信号経路のミキサ回路１００６ａ及びミキサ回路１００６ａは、それぞれ、直接ダウンコンバージョン及び／又は直接アップコンバージョンのために配置され得る。幾つかの実施形態では、受信信号経路のミキサ回路１００６ａ及び送信信号経路のミキサ回路１００６ａは、スーパヘテロダイン動作のために構成され得る。
【００４９】
幾つかの態様では、出力ベースバンド信号及び入力ベースバンド信号は、アナログベースバンド信号であり得るが、本実施形態の範囲はこれに関して限定されない。幾つかの代替の実施形態では、出力ベースバンド信号及び入力ベースバンド信号は、デジタルベースバンド信号であり得る。これらの代替の実施形態では、ＲＦ回路１００６は、アナログ−デジタルコンバータ（ＡＤＣ）及びデジタル−アナログコンバータ（ＤＡＣ）回路を有し得、ベースバンド回路１００４は、ＲＦ回路１００６と通信するためにデジタルベースバンドインタフェースを有し得る。幾つかのデュアルモードの実施形態では、個別無線集積回路（ＩＣ）回路が、１又は複数のスペクトルの信号を処理するために設けられ得るが、本実施形態の範囲はこれに関して限定されない。
【００５０】
幾つかの実施形態では、合成回路１００６ｄは、フラクショナルＮ合成器又はフラクショナルＮ／Ｎ＋１合成器であり得るが、本実施形態の範囲はこれに関して限定されず、他の種類の周波数合成器が適切であり得る。例えば、合成回路１００６ｄは、デルタ−シグマ合成器、周波数逓倍器、又は周波数分周器を備える位相ロックループを有する合成器であり得る。
【００５１】
合成回路１００６ｄは、周波数入力及び分周器制御入力に基づき、ＲＦ回路１００６のミキサ回路１００６ａにより使用される出力周波数を合成するよう構成され得る。幾つかの実施形態では、合成回路１００６ｄは、フラクショナルＮ／Ｎ＋１合成器であり得る。
【００５２】
幾つかの実施形態では、周波数入力は、電圧制御発振器（ＶＣＯ）により提供できるが、これは任意であって良い。分周器制御入力は、所望の出力周波数に依存して、ベースバンド回路１００４又はアプリケーションプロセッサ１００２により提供できる。幾つかの実施形態では、分周器制御入力（例えば、Ｎ）は、アプリケーションプロセッサ１００２により示されるチャネルに基づき、ルックアップテーブルから決定できる。
【００５３】
ＲＦ回路１００６の合成回路１００６ｄは、分周器、遅延ロックループ（ＤＬＬ）、マルチプレクサ、及び位相累算器を有し得る。幾つかの実施形態では、分周器はデュアルモジュラ分周器（ＤＭＤ）であり得、位相累算器はデジタル位相アキュムレータ（ＤＰＡ）であり得る。幾つかの実施形態では、ＤＭＤは、入力信号を、例えばキャリーアウトに基づき、Ｎ又はＮ＋１により分周し、フラクショナル分周比を提供できる。幾つかの例示的な実施形態では、ＤＬＬは、カスケードされた可調の、遅延要素、位相検出器、チャージポンプ、及びＤ型フリップフロップのセットを有し得る。これらの実施形態では、遅延要素は、ＶＣＯ期間をＮｄ個の等しい位相パケットに分解するよう構成できる。ここで、Ｎｄは、遅延線の中の遅延要素の数である。このように、ＤＬＬは、遅延線を通して全体の遅延が１つのＶＣＯサイクルであることを保証するのを助けるために負帰還を提供する。
【００５４】
幾つかの実施形態では、合成器回路１００６ｄは、出力周波数として搬送波周波数を生成するよう構成され得る。一方で、他の実施形態では、出力周波数は、搬送波周波数の倍数、例えば、搬送波周波数の２倍、搬送波周波数の４倍等であり、直交生成器及び分周器回路と連携して使用され、互いに対して複数の異なる位相を有する搬送波周波数で複数の信号を生成できる。幾つかの実施形態では、出力周波数は、局部発振器（ＬＯ）周波数（ｆＬＯ）であり得る。幾つかの実施形態では、ＲＦ回路１００６は、同相及び直交（ＩＱ）／極変換器を含み得る。
【００５５】
ＦＥＭ回路１００８は、１又は複数のアンテナ１０１０から受信されるＲＦ信号に対して作用し、受信信号を増幅し、受信信号の増幅されたバージョンを更なる処理のためにＲＦ回路１００６に提供するよう構成される回路を含み得る受信信号経路を有し得る。ＦＥＭ回路１００８は、１又は複数のアンテナ１０１０のうちの１又は複数による送信のために、ＲＦ回路１００６により提供される信号を送信のために増幅するよう構成される回路を含み得る送信信号経路も有し得る。
【００５６】
幾つかの実施形態では、ＦＥＭ回路１００８は、送信モード及び受信モード動作の間で切り替えるために、送信／受信（ＴＸ／ＲＸ）スイッチを含み得る。ＦＥＭ回路１００８は、受信信号経路及び送信信号経路を含み得る。ＦＥＭ回路１００８の受信信号経路は、受信ＲＦ信号を増幅し増幅した受信ＲＦ信号を出力として、例えばＲＦ回路１００６に提供するために、低雑音増幅器（ＬＮＡ）を含み得る。ＦＥＭ回路１００８の送信信号経路は、例えば、ＲＦ回路１００６により提供される入力ＲＦ信号を増幅する電力増幅器（ＰＡ）、及び例えば１又は複数のアンテナ１０１０による後の送信のためにＲＦ信号を生成する１又は複数のフィルタを有し得る。幾つかの実施形態では、ｅＮＢ装置１０００は、例えばメモリ及び／又は記憶装置、ディスプレイ、カメラ、センサ、及び／又は入力／出力（Ｉ／Ｏ）インタフェースのような追加要素を有し得る。しかしながら、請求される主題の範囲はこれに関して限定されない。
【００５７】
以下は、本願明細書に記載の請求される主題の例示的な実装である。留意すべきことに、本願明細書に記載の例及びその変形のうちの任意のものは、任意の他の１又は複数の例又は変形の置換又は組合せにおいて使用されて良い。しかしながら、請求される主題の範囲はこれに関して限定されない。
例１：回路を有するｅＮＢ（evolved  NodeB）の装置であって、前記回路は、ベースバンド処理回路により、第５世代（５Ｇ）マスタ情報ブロック（ｘＭＩＢ）の１又は複数のパラメータを構成し、前記ｘＭＩＢは、以下のパラメータ：ダウンリンクシステム帯域幅、システムフレーム番号（ＳＦＮ）、又は他の物理チャネルの構成、又はそれらの組合せ、のうちの少なくとも１つを含み、無線周波数処理回路により、所定リソース上の５Ｇ物理ブロードキャストチャネル（ｘＰＢＣＨ）により前記ｘＭＩＢを送信する、よう構成される、装置。
例２：前記装置は、例１又は本願明細書に記載の例のいずれかの主題を有し、他の物理チャネルの前記構成は、共通探索空間のための５Ｇ物理ダウンリンク制御チャネル（ｘＰＤＣＣＨ）構成を有する。
例３：前記装置は、例１又は本願明細書に記載の例のいずれかの主題を有し、前記ｘＭＩＢに付加される巡回冗長検査（ＣＲＣ）を適用する回路を更に有して良い。
例４：前記装置は、例１又は本願明細書に記載の例のいずれかの主題を有し、前記ＣＲＣは、１６ビット又は２４ビットを有し、前記ＣＲＣは、送信アンテナポート数に対応するコードワードによりマスクされる。
例５：前記装置は、例１又は本願明細書に記載の例のいずれかの主題を有し、送信アンテナポート数に対応するコードワードによるＣＲＣマスクは、前記ｘＰＢＣＨ送信に利用されない。
例６：前記装置は、例１又は本願明細書に記載の例のいずれかの主題を有し、前記ＣＲＣは、システムフレーム番号（ＳＦＮ）の最下位ビット（ＬＳＢ）によりマスクされる。
例７：前記装置は、例１又は本願明細書に記載の例のいずれかの主題を有し、前記ＣＲＣの付加されたｘＭＩＢにテールバイティング畳み込み符号（ＴＢＣＣ）を適用する回路を更に有して良い。
例８：前記装置は、例１又は本願明細書に記載の例のいずれかの主題を有し、ｘＰＢＣＨ送信の利用可能なリソース要素（ＲＥ）を埋めるためにレートマッチングを実行するベースバンド処理回路を更に有して良い。
例９：前記装置は、例１又は本願明細書に記載の例のいずれかの主題を有し、前記符号化ビットにスクランブリングを実行するベースバンド処理回路を更に有して良い。
例１０：前記装置は、例１又は本願明細書に記載の例のいずれかの主題を有し、スクランブリング系列は物理セル識別子（ＩＤ）により初期化される。
例１１：前記装置は、例１又は本願明細書に記載の例のいずれかの主題を有し、系列を初期化するベースバンド処理回路を更に有して良く、前記系列は、所定値、又はクラスタ若しくはサブクラスタ識別子（ＩＤ）により初期化され、複数のｅＮＢが、同一時間リソース及び同一周波数リソースで同時に前記ｘＰＢＣＨを送信する。
例１２：前記装置は、例１又は本願明細書に記載の例のいずれかの主題を有し、４位相偏移変調（ＱＰＳＫ）により前記ｘＰＢＣＨ送信を変調するベースバンド処理回路を更に有して良い。
例１３：命令を格納した１又は複数のコンピュータ可読媒体であって、前記命令はｅＮＢ（evolved  NodeB）により実行された場合に、第５世代（５Ｇ）物理ブロードキャストチャネル送信（ｘＰＢＣＨ）の５Ｇマスタ情報ブロック（ｘＭＩＢ）の１又は複数のパラメータを構成させ、前記ｘＰＢＣＨの復調参照信号（ＤＭ−ＲＳ）に基づく送信を適用させ、ＤＭ−ＲＳ及び前記ｘＰＢＣＨに割り当てられたデータシンボルの両方に同じビーム形成重みが適用され、所定リソース上の前記ｘＰＢＣＨにより前記ｘＭＩＢを送信させる、コンピュータ可読媒体。
例１４：前記１又は複数のコンピュータ可読媒体は、例１３又は本願明細書に記載の例のうちのいずれかの主題を有して良く、単一レイヤ送信が前記ｘＰＢＣＨ送信に適用される。
例１５：前記１又は複数のコンピュータ可読媒体は、例１３又は本願明細書に記載の例のうちのいずれかの主題を有して良く、前記命令は、前記ｅＮＢにより実行された場合に、さらに、２以上のアンテナポートに対し前記ｘＰＢＣＨの送信ダイバーシチを適用させる。
例１６：前記１又は複数のコンピュータ可読媒体は、例１３又は本願明細書に記載の例のうちのいずれかの主題を有して良く、前記ｘＰＢＣＨ送信のための、シンボル、スロット、サブフレーム若しくはフレームインデックスの観点での時間リソース及びサブキャリア及び物理リソースブロック（ＰＲＢ）インデックスの観点での周波数リソースは、予め定められ、前記ｘＰＢＣＨは、５Ｇ１次同期信号（ｘＰＳＳ）又は５Ｇ２次同期信号（ｘＳＳＳ）同じサブフレームで送信され、又は、前記ｘＰＢＣＨは、前記ｘＰＳＳ若しくは前記ｘＳＳＳと同じサブ帯域又は前記ｘＰＳＳ若しくは前記ｘＳＳＳに隣接するサブ帯域の中で送信される。
例１７：前記１又は複数のコンピュータ可読媒体は、例１３又は本願明細書に記載の例のうちのいずれかの主題を有して良く、前記ｘＰＢＣＨと前記ｘＰＳＳ又は前記ｘＳＳＳの送信の間の固定サブフレームギャップは指定される。
例１８：前記１又は複数のコンピュータ可読媒体は、例１３又は本願明細書に記載の例のうちのいずれかの主題を有して良く、単一のｘＰＢＣＨブロックがｘＰＢＣＨ送信期間の中で送信され、又は複数のｘＰＢＣＨブロックがｘＰＢＣＨ送信期間の中で送信される。
例１９：前記１又は複数のコンピュータ可読媒体は、例１３又は本願明細書に記載の例のうちのいずれかの主題を有して良く、前記命令は前記ｅＮＢにより実行された場合、さらに、中帯域又は高帯域キャリア周波数に、送信ビーム形成されたｘＰＢＣＨ又は繰り返しｘＰＢＣＨを使用させる。
例２０：前記１又は複数のコンピュータ可読媒体は、例１３又は本願明細書に記載の例のうちのいずれかの主題を有して良く、送信ビームパターンは、前記ｅＮＢによる実装に従い、ユーザ機器（ＵＥ）は、前記ｘＰＢＣＨを復号化するために各ｘＰＢＣＨリソース上の復調参照信号（ＤＭ−ＲＳ）エネルギを測定する。
例２１：前記１又は複数のコンピュータ可読媒体は、例１３又は本願明細書に記載の例のうちのいずれかの主題を有して良く、前記ｘＰＢＣＨ送信の送信ビームインデックス又は時間又は周波数リソースは、５Ｇ１次同期信号（ｘＰＳＳ）、５Ｇ２次同期信号（ｘＳＳＳ）、又はセル識別子（ＩＤ）の関数、又はそれらの組合せを有する。
例２２：前記１又は複数のコンピュータ可読媒体は、例１３又は本願明細書に記載の例のうちのいずれかの主題を有して良く、前記ｘＰＢＣＨ送信ビームのサブ帯域へのマッピングは、異なるｘＰＢＣＨブロックに渡り巡回シフトされる。
例２３：前記１又は複数のコンピュータ可読媒体は、例１３又は本願明細書に記載の例のうちのいずれかの主題を有して良く、異なるｅＮＢは、共同ｘＰＢＣＨ送信のために、異なる時間リソース、又は異なる周波数リソース、又はそれらの組合せでｘＰＢＣＨブロックを送信する。
例２４：前記１又は複数のコンピュータ可読媒体は、例１３又は本願明細書に記載の例のうちのいずれかの主題を有して良く、１つのｘＰＢＣＨ送信期間の中のｘＰＢＣＨリソースサイズは、セル内又はネットワーク内の最大ビームセット数を収容し、各ビームセットは、異なるｅＮＢ又は同じｅＮＢの中の異なるアンテナアレイからの１又は複数のビームを有し、各ビームセットは、ｘＰＢＣＨ送信のために、ユニークな時間リソース、又はユニークな周波数リソース、又はそれらの組合せにマッピングされる。
【００５８】
請求される主題はある程度の詳細と共に記載されたが、それらの要素は請求される主題の精神及び／又は範囲から逸脱することなく、当業者により変更され得ることが理解されるべきである。物理ブロードキャストチャネル設計に関連する請求される主題及び多くのその付随のものは前述の記載により理解されると考えられ、種々の変更が請求される主題の範囲及び／又は精神から逸脱することなく又はその構成要素の利点の全てを犠牲にすることなく及び／又はさらにその実質的変更を提供することなく、その形式、構成、及び／又は配置において成されて良いことが理解される。請求の範囲の意図は、このような変更を包含し及び／又は含むことである。
【図１Ａ】
2018531528.tif 000004
【図１Ｂ】
2018531528.tif 000005
【図２】
2018531528.tif 000006
【図３】
2018531528.tif 000007
【図４】
2018531528.tif 000008
【図５】
2018531528.tif 000009
【図６】
2018531528.tif 000010
【図７】
2018531528.tif 000011
【図８】
2018531528.tif 000012
【図９】
2018531528.tif 000013
【図１０】
2018531528.tif 000014
【国際調査報告】
2018531528.tif 000015
2018531528.tif 000016
2018531528.tif 000017